(57)【要約】      （修正有）【課題】タイルを固定するためのマット基材及びこのマット基材にタイルを組み合わせて固定してなるタイルマットにおいて、タイルをマット基材上に着脱可能に接合固定することが可能な上に、タイルの組み合わせ等を変更可能であって、タイルマットを敷設する床等に凹凸部があっても安定性が高く、耐久性も高く軽量のタイルマットを提供する。【解決手段】弾性変形可能な樹脂製マット基材１０と、その上面上に固定される中空構造の金属タイル２０からなるタイルマット１において、マット基材１０の上面の所定個所に嵌合突起を設け、マット基材１０上の該嵌合突起に対応するタイルの所定個所に嵌合孔を形成し、弾性変形可能な樹脂からなる嵌合突起によりマット基材１０とタイル２０を嵌合固定する。【選択図】図１
0003202925.tif 000002
【実用新案登録請求の範囲】
【請求項１】
タイルと、このタイルを固定するためのマット基材からなる方形のタイルマットにおいて、
前記タイルは、中空状に形成された金属部材からなり、１枚又は２枚以上のタイルが前記マット基材の上部に固定され、
前記マット基材は、弾性変形可能な部材からなり、
前記タイルのマット基材側の面には、該タイルを前記マット基材上に着脱自在に嵌合保持させるための嵌合孔部が複数個所に設けられ、
前記マット基材は前記タイルと嵌合保持される側の上面とその裏面である接地側面である下面と立直側面を有し、
前記マット基材の立直側面には、該マット基材同士を連結するために略T字型の連結腕と、前記連結腕の外側面の形状と同一形状を内側面とする連結腕収納部が設けられ、
前記タイルの嵌合孔部と前記マット基材部とは、前記マット基材部の上面から突出して形成された嵌合突起により嵌合保持され、
前記嵌合突起は弾性変形可能な部材からなり、
前記嵌合突起は前記タイルに設けられた嵌合孔に弾性変形して嵌挿できるように形成され、
前記嵌合突起は前記タイルに嵌挿されたときに、前記タイルの内側の前記嵌合孔縁部に係止する係止部を備え、
前記タイルは、前記嵌合突起の係止部が前記タイルの嵌合孔に係止されることにより抜け止め状態とされ、前記マット基材上に着脱可能に嵌合固定されるように構成されていることを特徴とするタイルマット。
【請求項２】
請求項１に記載のタイルマットにおいて、
前記嵌合突起の係止部は、一部が中空状に形成されていることを特徴とするタイルマット。
【請求項３】
請求項１ないし請求項２のいずれか１項に記載のタイルマットにおいて、
前記タイルは、アルミニウム合金で形成されていることを特徴とするタイルマット。
【請求項４】
請求項１ないし請求項３のいずれか1項に記載のタイルマットにおいて、
前記マット基材の隣接する２の立直側面には、該マット基材同士を連結するために略T字型の連結腕が設けられ、
前記マット基材の連結腕が設けられた立直側面と対向する立直側面には、前記連結腕の外側面の形状と同一形状を内側面とする連結腕収納部が設けられ、
前記マット基材は上面側から見て略正方形に形成され、
前記タイルが長手方向と短手方向を有し、該長手方向の長さが、略正方形のマット基材の１辺の長さの整数倍であることを特徴とするタイルマット。
【請求項５】
請求項１ないし請求項４のいずれか1項に記載のタイルマットにおいて、
前記タイルが長手方向と短手方向を有し、
前記タイルの両端に前記マット基材が着脱可能に嵌合固定され、
該タイルの両端に嵌合固定された前記マット基材の間に、１又は２以上のマット基材が所定の間隔を空けて嵌合固定され、
前記タイルの両端に嵌合固定されたマット基材の立直側面には、該マット基材同士を連結するために略T字型の連結腕が設けられ、
前記タイルの両端に嵌合固定されたマット基材の連結腕が設けられた立直側面と対向する立直側面には、前記連結腕の外側面の形状と同一形状を内側面とする連結腕収納部が設けられ、
前記タイルの両端に嵌合固定された前記マット基材の間に所定の間隔を空けて嵌合固定された１又は２以上のマット基材は、該タイルの長手方向の一方の側面側の立直側面に該マット基材同士を連結するために略T字型の連結腕を備え、該タイルの長手方向の他方の側面側の立直側面に前記連結腕の外側面の形状と同一形状を内側面とする連結腕収納部が設けられていることを特徴とするタイルマット。
【請求項６】
請求項１ないし請求項５のいずれか1項に記載のタイルマットにおいて、
前記タイルの嵌合孔部と前記マット基材部の嵌合孔部とは、前記マット基材部の上面に係止部を備えていない嵌合柱が突出して形成され、前記タイルの嵌合孔部に前記マット基材部の嵌合柱が挿入されるように構成されていることを特徴とするタイルマット。
【考案の詳細な説明】
【技術分野】
【０００１】
本考案は、建築材料、特に建築物における床またはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、玄関先、屋上、ベランダ、ルーフバルコニー等にクッション、滑り止め機能を備えるようにするためには、床材それ自体にクッション、滑り止め機能を有する素材を用いなければならなかったが、その機能上木材、コンクリートや金属に比べて耐久性の劣る材料を用いざるをえず、老朽化後に機能を回復させるためには床剤の交換作業のためには再度工事をしなければならない等の問題があった。
【０００３】
このため、近年では、上述したような交換作業の困難性等の問題点を解決するために、床面等の上に敷設するシート状のマットや、略方形のマットの周縁部に凹凸を設けることにより敷設、撤去の作業が容易になるようなマットが用いられるようになってきている（例えば、特許文献１，２等参照）。
【０００４】
すなわち、従来この種のマットにおいて、特許文献１の衝撃音吸収マットでは、シート状のマットを、複数の層を備えるように構成することとしている。また、特許文献２の連結用ブロックでは、発泡合成樹脂、非発泡合成樹脂、合成ゴム等のエラストマーからなるブロックの周縁部に凹凸パターンを形成して嵌合させて並べて敷設するように構成することとしている。
【先行技術文献】
【特許文献】
【０００５】
【特許文献１】特開平７−３２５２１号公報
【特許文献２】特開２００２−３２７４０１号公報
【考案の概要】
【考案が解決しようとする課題】
【０００６】
しかし、上述した従来のマットでは、マットを敷設する床面や地面に凹凸がある場合に、マット表面がその凹凸に沿った形状になってしまい、床面の安定性を欠く場合があるという問題があった。
【０００７】
またシート状のマットを並べて敷設するだけでは、マットの境目がずれてしまったり、周縁部がめくれてしまったりするなどの問題もあり、ブロックの周縁部 に凹凸パターンを形成して嵌合させて並べて敷設するものも敷設する面をあらかじめほぼ完全に平坦に施工しておかなければならず、さらに、シート状のマットでは施工の際に切断などの作業が必要であるという問題があった。
【０００８】
その一方において、この種のマットは、材質が劣化したりデザインを変更したりしたくなった際に簡単に交換できること等も望まれているものであって、このような相反する要求に応えることができることが要望されている。
【０００９】
本考案はこのような事情に鑑みてなされたものであり、タイルを固定するためのマット基材及びこのマット基材にタイルを組み合わせて固定してなるタイルマットにおいて、タイルをマット基材上に着脱可能に接合固定することが可能な上に、タイルの組み合わせ等を変更可能であって、マットを敷設する面にある程度の凹凸があっても安定性の高い状態で布設ことができ、耐久性が高く軽量のタイルマットを得ることを目的とする。
【課題を解決するための手段】
【００１０】
このような目的に応えるために本考案（請求項１記載の考案）に係るタイルマットは、  前記タイルは、中空状に形成された金属部材からなり、１枚又は２枚以上のタイルが前記マット基材の上部に固定され、前記マット基材は、弾性変形可能な部材からなり、前記タイルのマット基材側の面には、該タイルを前記マット基材上に着脱自在に嵌合保持させるための嵌合孔部が複数個所に設けられ、前記マット基材は前記タイルと嵌合保持される側の上面とその裏面である接地側面である下面と立直側面を有し、前記マット基材の立直側面には、該マット基材同士を連結するために略T字型の連結腕と、前記連結腕の外側面の形状と同一形状を内側面とする連結腕収納部が設けられ、前記タイルの嵌合孔部と前記マット基材部とは、前記マット基材部の上面から突出して形成された嵌合突起により嵌合保持され、前記嵌合突起は弾性変形可能な部材からなり、前記嵌合突起は前記タイルに設けられた嵌合孔に弾性変形して嵌挿できるように形成され、前記嵌合突起は前記タイルに嵌挿されたときに、前記タイルの内側の前記嵌合孔縁部に係止する係止部を備え、前記タイルは、前記嵌合突起の係止部が前記タイルの嵌合孔に係止されることにより抜け止め状態とされ、前記マット基材上に着脱可能に嵌合固定されるように構成されていることを特徴とする。
【００１１】
このように構成することにより、タイルは耐久性が高い上ＷＰＣ素材などを使用するよりも軽いため運搬や施工が容易となり、タイルが劣化する前に樹脂製のマット基材が劣化した場合マット基材のみを交換してタイルをそのまま使用し続けることができるという利点がある。
【００１２】
本考案（請求項２記載の考案）に係るタイルマットは、請求項１に記載のタイルマットにおいて、前記嵌合突起の係止部は、一部が中空状に形成されていることを特徴とする。
【００１３】
このように構成することにより、前記嵌合突起を前記タイルに嵌合したり抜いたりする作業が容易になるという利点がある。
【００１４】
本考案（請求項３記載の考案）に係るタイルマットは、請求項１ないし請求項２のいずれか１項に記載のタイルマットにおいて、前記タイルは、アルミニウム合金で形成されていることを特徴とする。
【００１５】
このように構成することにより、前記タイルを軽量で耐久性の高いものにすることができるという利点がある。
【００１６】
本考案（請求項４記載の考案）に係るタイルマットは、請求項１ないし請求項３のいずれか1項に記載のタイルマットにおいて、前記マット基材の隣接する２の立直側面には、該マット基材同士を連結するために略T字型の連結腕が設けられ、前記マット基材の連結腕が設けられた立直側面と対向する立直側面には、前記連結腕の外側面の形状と同一形状を内側面とする連結腕収納部が設けられ、前記マット基材は上面側から見て略正方形に形成され、前記タイルが長手方向と短手方向を有し、該長手方向の長さが、略正方形のマット基材の１辺の長さの整数倍であることを特徴とする。
【００１７】
このように構成することにより、前記マット基材を複数枚連結させたものの上に、１枚のタイルを載置することができ、安定感の高いタイルマットを得ることができるという利点がある。
【００１８】
本考案（請求項５記載の考案）に係るタイルマットは、請求項１ないし請求項４のいずれか1項に記載のタイルマットにおいて、前記タイルが長手方向と短手方向を有し、前記タイルの両端に前記マット基材が着脱可能に嵌合固定され、該タイルの両端に嵌合固定された前記マット基材の間に、１又は２以上のマット基材が所定の間隔を空けて嵌合固定され、前記タイルの両端に嵌合固定されたマット基材の立直側面には、該マット基材同士を連結するために略T字型の連結腕が設けられ、前記タイルの両端に嵌合固定されたマット基材の連結腕が設けられた立直側面と対向する立直側面には、前記連結腕の外側面の形状と同一形状を内側面とする連結腕収納部が設けられ、前記タイルの両端に嵌合固定された前記マット基材の間に所定の間隔を空けて嵌合固定された１又は２以上のマット基材は、該タイルの長手方向の一方の側面側の立直側面に該マット基材同士を連結するために略T字型の連結腕を備え、該タイルの長手方向の他方の側面側の立直側面に前記連結腕の外側面の形状と同一形状を内側面とする連結腕収納部が設けられていることを特徴とする。
【００１９】
このように構成することにより、前記タイルマットを敷設する床等に凹凸があっても、その部分を避けて前記マット基材の位置を決めてその上に前記タイルを載置することができ、安定感の高いタイルマットを得ることができるという利点がある。
【００２０】
本考案（請求項６記載の考案）に係るタイルマットは、請求項１ないし請求項５のいずれか1項に記載のタイルマットにおいて、前記タイルの嵌合孔部と前記マット基材部の嵌合孔部とは、前記マット基材部の上面に係止部を備えていない嵌合柱が突出して形成され、前記タイルの嵌合孔部に前記マット基材部の嵌合柱が挿入されるように構成されていることを特徴とする。
【００２１】
このように構成することにより、前記タイルマットを前記タイルからはがす作業が容易になるという利点がある。
【考案の効果】
【００２２】
以上説明したように本考案に係るタイルマットによれば、耐久性が高く軽量のタイルマットを提供することで、タイルマットの運搬や施工を容易とし、タイルの下面に複数の嵌合孔部を設け、マット基材の上面に該タイルの嵌合孔部と対応する位置に嵌合孔部を設け、これらの嵌合孔部に嵌合突起を弾性変形させて挿入することにより、タイルとマット基材を着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができ、マット基材や嵌合突起それぞれが劣化してもそれらを交換して、タイルマット全体としては使用を継続することができる。
【００２３】
特に、本考案によれば、複数のマット基材に１枚のタイルを載置することで、タイルの安定性を高めて、従来より広い範囲に敷き詰めても、使用者に全体として十分な安定感を感じさせることができるタイルマットを提供することができるという利点がある。
【００２４】
また、本考案によれば、マット基材からタイルを分離することが容易なので、廃棄物とする際に、樹脂でからなるマット基材と、金属からなるタイルを容易に分別することができるという利点がある。
【００２５】
さらに、本考案によれば、複数のマット基材の間に間隔を空けてその上に1枚のタイルを載置することで、タイルマットを敷設する床等に凹凸があっても、タイルの安定性高く、使用者に全体として十分な安定感を感じさせることができるタイルマットを提供することができるという利点がある。
【図面の簡単な説明】
【００２６】
【図１】本考案に係るタイルとマット基材を用いたタイルマットの一実施形態を示し、マット基材としての樹脂マットの斜視図である。
【図２】図１のタイルマットの、マット基材の平面図（ａ）と底面図（ｂ）である。
【図３】マット基材同士を連結させた状態の平面図（ａ）と底面図（ｂ）である。
【図４】図１のタイルマットの、タイルとマット基材が嵌合していない状態の側面図である。
【図５】図１のタイルマットの、マット基材上面を示す拡大図である。
【図６】図４の状態から図１の状態へと嵌合を進める際の嵌合構造を説明するための断面図で、嵌合突起がタイルと嵌合していない状態を示す拡大断面図である。
【図７】図４の状態から図１の状態へと嵌合を進める際の嵌合構造を説明するための断面図で、嵌合突起がタイルに嵌合しつつある状態を示す拡大断面図である。
【図８】図４の状態から図１の状態へと嵌合を進める際の嵌合構造を説明するための断面図で、嵌合突起がタイルに嵌合した状態を示す拡大断面図である。
【図９】図４の状態から図１の状態へと嵌合を解除する際の嵌合構造を説明するための断面図で、嵌合突起がタイルの嵌合孔から抜けつつある状態を示す拡大断面図である。
【図１０】タイルの長手方向の長さが、マット基材の１辺の長さの２倍の場合（ａ）とタイルの長手方向の長さが、マット基材の１辺の長さの３倍の場合（ｂ）の場合を示す斜視図である。
【図１１】タイル内部に設けられたリブ構造を示すタイルの断面図である。
【図１２】タイルの端部に保護部材を装着した状態の拡大斜視図である。
【図１３】本考案に係るタイルとマット基材を用いたタイルマットの他の実施形態を示し、ロングタイルをマット基材に間隔を空けて載置した状態の斜視図（ａ）と、その裏面の斜視図（ｂ）である。
【図１４】本考案に係るタイルとマット基材を用いたタイルマットの他の実施形態を示し、ロングタイル両端用のマット基材の形状を示す図である。
【図１５】本考案に係るタイルとマット基材を用いたタイルマットの他の実施形態を示し、ロングタイル両端用のマット基材の間に間隔を空けてロングタイルと嵌合するマット基材の形状を示す図である。
【図１６】本考案に係るタイルとマット基材を用いたタイルマットの他の実施形態を示し、ロングタイル両端用のマット基材の間に間隔を空けてロングタイルと嵌合するマット基材の他の形状を示す図である。
【図１７】本考案に係るタイルとマット基材を用いたタイルマットの他の実施形態を示し、マット基材の嵌合突起の他の形状を示す図である。
【図１８】本考案に係るタイルとマット基材を用いたタイルマットの他の実施形態を示し、マット基材の嵌合突起の他の形状を示す図である。
【考案を実施するための形態】
【実施例１】
【００２７】
図１ないし図１２は本考案に係る樹脂マット及びこれを用いたタイルマットの一実施形態を示すものであり、これらの図において、全体記号１で示すのは本考案を特徴づけるタイルマットである。
【００２８】
図１においてこれを簡単に説明すると、符号１は、タイルマットとして、例えば床面、壁面、あるいはバルコニーやベランダ等に敷き詰められることで、該施工場所を体裁のよいタイル模様の化粧を施すことができるタイルマットであり、これを所要の配列状態で並べるマット基材１０と、マット基材上に載置する１枚又は２枚以上のタイル２０とによって構成されている。
【００２９】
前記マット基材１０は、前記タイル２０を敷設できる大きさ、例えば約３００ｍｍ角の正方形状の板材である。
【００３０】
前記マット基材１０に、例えば１５０ｍｍ×３００ｍｍの長方形状に形成された中空の金属部材２枚のタイル２０を載置して前記タイルマット１を構成し、その表面には、適宜の色彩、その他模様などが必要に応じて付されている。
【００３１】
図２（ａ）は前記マット基材１０の平面図であり、図２（ｂ）は前記マット基材１０の底面図である。マット面部１６の下面に脚部が設けられ、隣接する２の立直側面からは連結腕１２が水平方向に凸出して設けられ、連結腕が設けられた立直側面と対向する立直側面には連結腕収納部１３が凹設して設けられ、連結腕１２下面には連結腕脚部１５が設けられている。略T字型の連結腕１２の形状は、T字の横棒部分の両端が略半円状に形成されていて、連結作業の際に連結腕収納部１３への挿入は容易であるが、横方向への張力に対しては強く、安定した連結状態を得ることができる。
【００３２】
図２（ａ）において、前記マット基材１０の上面には、前記タイル２０を嵌合して載置するための嵌合突起１１が設けられている。
【００３３】
図３（ａ）は連結された前記マット基材の平面図であり、図３（ｂ）は連結された前記マット基材の底面図である。前記マット基材に設けられた連結腕１２を隣接するマット基材１０の連結腕収納部１３に順次連結させることにより、複数枚のマット基材１０を順次連結して敷設することができる。
【００３４】
図４において前記マット基材１０と前期タイル２０は分離おり、前記マット基材１０と前期タイル２０は嵌合突起１１を介して接合される。嵌合突起１１は、弾性変形可能な例えばポリエチレンなどの弾性樹脂を素材とするマット基材から突出そるように形成され、弾性変形可能に構成されており、嵌合したときに抜け落ちないように係止部を備えるように構成されている。
【００３５】
図５に示すように前記マット基材１０上面に、嵌合突起が突出して形成されている。
【００３６】
ここで、図６のようにまずマット面部１６の嵌合突起１１を、タイル下面２１の嵌合孔２２へ挿入させる。
【００３７】
すると、図７のように、嵌合突起１１が中空構造１７の方へ弾性変形し、嵌合孔２２を貫通することができる。
【００３８】
そして、嵌合突起１１がタイル下面２１の嵌合孔２２を貫通すると、嵌合突起１１は元の形状に戻るため、図８のようにマット面部１６とタイル下面２１を嵌合保持させることができる。
【００３９】
また、この状態からタイル２０を強制的に引き剥がす際に、図９のよう嵌合突起１１を嵌合孔２２から抜去しようとすると、嵌合突起１１は上述した挿入の際とは逆に弾性変形し、嵌合状態を解除することができる。
【００４０】
したがって、このような嵌合構造によるマット基材１０とタイル２０とによるタイルマット１によれば、該タイルマット１を建築物における床またはバルコニーやベランダ等といった施工場所に、耐久性が高いものを敷設することができ、軽量なので取り扱いが容易である。
【００４１】
このようなタイルマット１０おいて、タイル２０を引きはがして嵌合状態を外すことにより、タイル２０を取り外すことが可能であり、模様替えを行ったりする際に便利である等といった利点がある。
【００４２】
また、タイル２０を引きはがして嵌合状態を外し、マット基材１０を交換することで、耐久性の高いタイル２０をそのまま使用しつつ、安定性を長く保つことができるという利点がある。
【００４３】
このようなタイルマット１において、嵌合突起３０を弾性変形可能とするための素材には、ＰＥ（ポリエチレン）やＥＶＡ（エチレン-酢酸ビニル共重合樹脂）などの弾性樹脂が考えられる。
【００４４】
さらに、このようなマット基材１０においてもPEやEVAを素材とすることで、中空状に形成された金属部材からなるタイル２０は硬質であっても、マット基材１０が弾性変形可能であるため、敷設場所の床などに多少の凹凸があってもマット基材の弾性変形により補正され、揺れやガタツキが生じるのを防ぐことができるという利点がある。
【００４５】
そして、図１０のように、マット基材の１辺の整数倍の長さを有するタイル２０をこのようなマット基材１０を組み合わせたものの上に載置することにより、１組のタイルマットで覆うことができる面積が大きくなり、安定性が高まるという利点がある。
【００４６】
運搬や施工の際に取り扱いを便利にする目的で、タイル２０には中空状に形成された金属部材を用いるが、タイル２０が正方形の場合の中心部や、タイル２０が長方形の場合の長手方向の中心線付近や長手方向の中央部に近い部分では、完全な中空状では十分な強度が得られないので、図１１のように中空構造の内部に壁状のリブ構造を設けることで、タイル２０は軽量でありながら十分な強度を備えるようになる。
【００４７】
さらに、強度補強及びタイル端部の切断面との接触による事故防止のため、図１２のように、タイル端部の中空構造に端部保護部材２４を挿入することにより、強度と安全性が保たれる。端部保護部材２４は、弾性変形可能なＰＥ（ポリエチレン）やＥＶＡ（エチレン-酢酸ビニル共重合樹脂）などの弾性樹脂で形成し、タイル端部にしっかりと嵌合させる。
【００４８】
タイル２０に用いる金属部材には、Ａｌ−Ｍｇ系やＡｌ−Ｍｇ−Ｓｉ系のアルミニウム合金が考えられる。また、ステンレスやスチール系の合金を使用してもよい。表面に滑り止め効果を得るために、発泡アルミニウム合金などの発泡金属を用いることのほかに、ＰＥフォームやＰＰ（ポリプロピレン）フォームなどをタイル２０の表面にコーティングすることも考えられる。
【実施例２】
【００４９】
図１３ないし図１６は本考案に係る樹脂マット及びこれを用いたタイルマットの他の実施形態を示すものである。
【００５０】
図１３において示すように、間隔を空けたロングタイル両端用マット基材３０とロングタイル中間用マット基材４０の上にロングタイル５０を載置することで、タイルマットを敷設する床等に凹凸部があっても、マット基材を該凹凸部から外して位置させることで、タイルマット全体は安定した状態に保たれる。
【００５１】
図１４において、ロングタイル両端用マット基材３０は、（ａ）‐１から（ａ）‐４に示すように、結合腕３２と結合腕収納部３３を備え、ロングタイル５０同士を結合腕３２と結合腕収納部３３を介して長手方向にも短手方向にも結合することができる。長手方向のみ結合する場合には、（ｂ）‐１から（ｂ）‐４に示すような形状に形成する。他のロングタイル５０と結合しない場合には、（ｃ）‐１から（ｃ）‐４に示すように、立直側面に結合腕も結合腕収納部も備えていないように形成すれば、タイル両端部の美観を損ねることはない。
【００５２】
図１５において、ロングタイル中間用マット基材４０は、（ａ）‐１から（ａ）‐４に示すように、ロングタイル５０の長手方向に沿った側面と対応する立直側面に結合腕３２と結合腕収納部３３を備え、ロングタイル５０同士を結合腕３２と結合腕収納部３３を介して結合することができる。タイルマットを敷設する床等の状態などを考慮して、（ｂ）‐１から（ｂ）‐４に示すような幅の狭いものを単独で、又は幅の広いものと混合して用いることができる。
【実施例３】
【００５３】
図１６において、ロングタイル中間用マット基材４０は、（ａ）から（ｄ）に示すように、上面に係止部を備える嵌合突起４１と係止部を備えていない嵌合柱４７の２種類を備え、嵌合突起４１の抜け止め効果によりロングタイル中間用マット基材４０とロングタイル５０を嵌合するが、嵌合柱４７は抜け止め効果はなくともロングタイル５０の嵌合孔に挿入されることにより、ロングタイル中間用マット基材４０とロングタイル５０嵌合状態を安定させることができ、かつ、ロングタイル中間用マット基材４０とロングタイル５０をはがす際には、嵌合をすべて嵌合突起４１を用いるより、簡単にはがすことができる。この構造は、ロングタイル両端用マット基材３０にも用いることができる。
【実施例４】
【００５４】
図１７は本考案に係る樹脂マット及びこれを用いたタイルマットの他の実施形態を示すものである。マット基材１０の上部に設けられた嵌合突起が、係止部を備える係止部付き嵌合片６１を３本以上束ねた多分割型嵌合突起６０であり、多分割型嵌合突起６０を形成する係止部付き嵌合片６１相互の間に中空部分を備えるように構成されている。図１７においては、係止部付き嵌合片６１が３本のものを示す。これにより、嵌合突起のタイルへの挿入及び抜去がよりスムースに行われるという効果がある。
【実施例５】
【００５５】
図１８は本考案に係る樹脂マット及びこれを用いたタイルマットの他の実施形態を示すものである。マット基材１０の上部に設けられた嵌合突起が、係止部を備える係止部付き嵌合片６１と係止部を備えていない柱状嵌合片６３からなる組合せ型嵌合突起６２であり、係止部付き嵌合片６１と柱状嵌合片６３の間に中空部分を備えるように構成されている。これにより、嵌合突起のタイルからの抜去がよりスムースに行われるという効果がある。
【００５６】
なお、本考案は上述した実施の形態で説明した構造には限定されず、各部の形状、構造等を適宜変形、変更し得ることはいうまでもない。
例えば、ロングタイル両端用マット基材においても、ロングタイル中間用マット基材においても、タイルマット同士の組み合わせに応じて、結合腕のみを備え結合腕収納部を備えないものや、結合腕を備えず結合腕収納部のみを備えるものなど、様々な組み合わせがあってもよい。
【００５７】
また、マット基材やタイルも方形に限定されず、様々な形状同士を組み合わせるものであってもよい。
【００５８】
さらに、タイル２０の材質も金属だけでなく、セラミックなど中空構造としても十分な強度を持つ素材であれば使用することができる。勿論、これらに限定されないことも言うまでもない。
【産業上の利用可能性】
【００５９】
本考案のタイルマットは、床に敷き詰めるだけでなくの建物の外壁や塀、その他外装にも用いることができる。実用的には例えば野外イベントなどで、床に本考案のタイルマットを敷設するだけでなく、仮設された塀の片面又は両面に使用することにより、タイルの組み合わせによって文字や模様を描いた装飾的な塀とすることができる。これらもまた本考案の権利範囲である。
【符号の説明】
【００６０】
１      タイルマット
１０    マット基材
１１    嵌合突起
１２    連結腕
１３    連結腕収納部
１４    脚部
１５    連結腕脚部
１６    マット面部
１７    嵌合突起中空構造
２０    タイル
２１    タイル下面
２２    嵌合孔
２３    内部リブ
２４    端部保護部材
３０    ロングタイル両端用マット基材
３１    嵌合突起
３２    連結腕
３３    連結腕収納部
３４    脚部
３５    連結腕脚部
３６    マット面部
４０    ロングタイル中間用マット基材
４１    嵌合突起
４２    連結腕
４３    連結腕収納部
４４    脚部
４５    連結腕脚部
４６    マット面部
４７    嵌合柱
５０    ロングタイル
５１    ロングタイル下面
６０    多分割型嵌合突起
６１    係止部付き嵌合片
６２    組合せ型嵌合突起
６３    柱状嵌合片
【図５】
0003202925.tif 000003
【図１】
0003202925.tif 000004
【図２】
0003202925.tif 000005
【図３】
0003202925.tif 000006
【図４】
0003202925.tif 000007
【図６】
0003202925.tif 000008
【図７】
0003202925.tif 000009
【図８】
0003202925.tif 000010
【図９】
0003202925.tif 000011
【図１０】
0003202925.tif 000012
【図１１】
0003202925.tif 000013
【図１２】
0003202925.tif 000014
【図１３】
0003202925.tif 000015
【図１４】
0003202925.tif 000016
【図１５】
0003202925.tif 000017
【図１６】
0003202925.tif 000018
【図１７】
0003202925.tif 000019
【図１８】
0003202925.tif 000020
【手続補正書】
【提出日】平成27年12月24日(2015.12.24)
【手続補正１】
【補正対象書類名】明細書
【補正対象項目名】全文
【補正方法】変更
【補正の内容】
【考案の詳細な説明】
【技術分野】
【０００１】
本考案は、建築材料、特に建築物における床またはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、玄関先、屋上、ベランダ、ルーフバルコニー等にクッション、滑り止め機能を備えるようにするためには、床材それ自体にクッション、滑り止め機能を有する素材を用いなければならなかったが、その機能上木材、コンクリートや金属に比べて耐久性の劣る材料を用いざるをえず、老朽化後に機能を回復させるためには床剤の交換作業のためには再度工事をしなければならない等の問題があった。
【０００３】
このため、近年では、上述したような交換作業の困難性等の問題点を解決するために、床面等の上に敷設するシート状のマットや、略方形のマットの周縁部に凹凸を設けることにより敷設、撤去の作業が容易になるようなマットが用いられるようになってきている（例えば、特許文献１，２等参照）。
【０００４】
すなわち、従来この種のマットにおいて、特許文献１の衝撃音吸収マットでは、シート状のマットを、複数の層を備えるように構成することとしている。また、特許文献２の連結用ブロックでは、発泡合成樹脂、非発泡合成樹脂、合成ゴム等のエラストマーからなるブロックの周縁部に凹凸パターンを形成して嵌合させて並べて敷設するように構成することとしている。
【先行技術文献】
【特許文献】
【０００５】
【特許文献１】特開平７−３２５２１号公報
【特許文献２】特開２００２−３２７４０１号公報
【考案の概要】
【考案が解決しようとする課題】
【０００６】
しかし、上述した従来のマットでは、マットを敷設する床面や地面に凹凸がある場合に、マット表面がその凹凸に沿った形状になってしまい、床面の安定性を欠く場合があるという問題があった。
【０００７】
またシート状のマットを並べて敷設するだけでは、マットの境目がずれてしまったり、周縁部がめくれてしまったりするなどの問題もあり、ブロックの周縁部 に凹凸パターンを形成して嵌合させて並べて敷設するものも敷設する面をあらかじめほぼ完全に平坦に施工しておかなければならず、さらに、シート状のマットでは施工の際に切断などの作業が必要であるという問題があった。
【０００８】
その一方において、この種のマットは、材質が劣化したりデザインを変更したりしたくなった際に簡単に交換できること等も望まれているものであって、このような相反する要求に応えることができることが要望されている。
【０００９】
本考案はこのような事情に鑑みてなされたものであり、タイルを固定するためのマット基材及びこのマット基材にタイルを組み合わせて固定してなるタイルマットにおいて、タイルをマット基材上に着脱可能に接合固定することが可能な上に、タイルの組み合わせ等を変更可能であって、マットを敷設する面にある程度の凹凸があっても安定性の高い状態で布設ことができ、耐久性が高く軽量のタイルマットを得ることを目的とする。
【課題を解決するための手段】
【００１０】
このような目的に応えるために本考案（請求項１記載の考案）に係るタイルマットは、  前記タイルは、中空状に形成された金属部材からなり、１枚又は２枚以上のタイルが前記マット基材の上部に固定され、前記マット基材は、弾性変形可能な部材からなり、前記タイルのマット基材側の面には、該タイルを前記マット基材上に着脱自在に嵌合保持させるための嵌合孔部が複数個所に設けられ、前記マット基材は前記タイルと嵌合保持される側の上面とその裏面である接地側面である下面と立直側面を有し、前記マット基材の立直側面には、該マット基材同士を連結するために略T字型の連結腕と、前記連結腕の外側面の形状と同一形状を内側面とする連結腕収納部が設けられ、前記タイルの嵌合孔部と前記マット基材部とは、前記マット基材部の上面から突出して形成された嵌合突起により嵌合保持され、前記嵌合突起は弾性変形可能な部材からなり、前記嵌合突起は前記タイルに設けられた嵌合孔に弾性変形して嵌挿できるように形成され、前記嵌合突起は前記タイルに嵌挿されたときに、前記タイルの内側の前記嵌合孔縁部に係止する係止部を備え、前記タイルは、前記嵌合突起の係止部が前記タイルの嵌合孔に係止されることにより抜け止め状態とされ、前記マット基材上に着脱可能に嵌合固定されるように構成されていることを特徴とする。
【００１１】
このように構成することにより、タイルは耐久性が高い上ＷＰＣ素材などを使用するよりも軽いため運搬や施工が容易となり、タイルが劣化する前に樹脂製のマット基材が劣化した場合マット基材のみを交換してタイルをそのまま使用し続けることができるという利点がある。
【００１２】
本考案（請求項２記載の考案）に係るタイルマットは、請求項１に記載のタイルマットにおいて、前記嵌合突起の係止部は、一部が中空状に形成されていることを特徴とする。
【００１３】
このように構成することにより、前記嵌合突起を前記タイルに嵌合したり抜いたりする作業が容易になるという利点がある。
【００１４】
本考案（請求項３記載の考案）に係るタイルマットは、請求項１ないし請求項２のいずれか１項に記載のタイルマットにおいて、前記タイルは、アルミニウム合金で形成されていることを特徴とする。
【００１５】
このように構成することにより、前記タイルを軽量で耐久性の高いものにすることができるという利点がある。
【００１６】
本考案（請求項４記載の考案）に係るタイルマットは、請求項１ないし請求項３のいずれか1項に記載のタイルマットにおいて、前記マット基材の隣接する２の立直側面には、該マット基材同士を連結するために略T字型の連結腕が設けられ、前記マット基材の連結腕が設けられた立直側面と対向する立直側面には、前記連結腕の外側面の形状と同一形状を内側面とする連結腕収納部が設けられ、前記マット基材は上面側から見て略正方形に形成され、前記タイルが長手方向と短手方向を有し、該長手方向の長さが、略正方形のマット基材の１辺の長さの整数倍であることを特徴とする。
【００１７】
このように構成することにより、前記マット基材を複数枚連結させたものの上に、１枚のタイルを載置することができ、安定感の高いタイルマットを得ることができるという利点がある。
【００１８】
本考案（請求項５記載の考案）に係るタイルマットは、請求項１ないし請求項４のいずれか1項に記載のタイルマットにおいて、前記タイルが長手方向と短手方向を有し、前記タイルの両端に前記マット基材が着脱可能に嵌合固定され、該タイルの両端に嵌合固定された前記マット基材の間に、１又は２以上のマット基材が所定の間隔を空けて嵌合固定され、前記タイルの両端に嵌合固定されたマット基材の立直側面には、該マット基材同士を連結するために略T字型の連結腕が設けられ、前記タイルの両端に嵌合固定されたマット基材の連結腕が設けられた立直側面と対向する立直側面には、前記連結腕の外側面の形状と同一形状を内側面とする連結腕収納部が設けられ、前記タイルの両端に嵌合固定された前記マット基材の間に所定の間隔を空けて嵌合固定された１又は２以上のマット基材は、該タイルの長手方向の一方の側面側の立直側面に該マット基材同士を連結するために略T字型の連結腕を備え、該タイルの長手方向の他方の側面側の立直側面に前記連結腕の外側面の形状と同一形状を内側面とする連結腕収納部が設けられていることを特徴とする。
【００１９】
このように構成することにより、前記タイルマットを敷設する床等に凹凸があっても、その部分を避けて前記マット基材の位置を決めてその上に前記タイルを載置することができ、安定感の高いタイルマットを得ることができるという利点がある。
【００２０】
本考案（請求項６記載の考案）に係るタイルマットは、請求項１ないし請求項５のいずれか1項に記載のタイルマットにおいて、前記タイルの嵌合孔部と前記マット基材部の嵌合突起とは、前記マット基材部の上面に係止部を備えていない嵌合柱が突出して形成され、前記タイルの嵌合孔部に前記マット基材部の嵌合柱が挿入されるように構成されていることを特徴とする。
【００２１】
このように構成することにより、前記タイルマットを前記タイルからはがす作業が容易になるという利点がある。
【考案の効果】
【００２２】
以上説明したように本考案に係るタイルマットによれば、耐久性が高く軽量のタイルマットを提供することで、タイルマットの運搬や施工を容易とし、タイルの下面に複数の嵌合孔部を設け、マット基材の上面に該タイルの嵌合孔部と対応する位置に嵌合孔部を設け、これらの嵌合孔部に嵌合突起を弾性変形させて挿入することにより、タイルとマット基材を着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができ、マット基材や嵌合突起それぞれが劣化してもそれらを交換して、タイルマット全体としては使用を継続することができる。
【００２３】
特に、本考案によれば、複数のマット基材に１枚のタイルを載置することで、タイルの安定性を高めて、従来より広い範囲に敷き詰めても、使用者に全体として十分な安定感を感じさせることができるタイルマットを提供することができるという利点がある。
【００２４】
また、本考案によれば、マット基材からタイルを分離することが容易なので、廃棄物とする際に、樹脂でからなるマット基材と、金属からなるタイルを容易に分別することができるという利点がある。
【００２５】
さらに、本考案によれば、複数のマット基材の間に間隔を空けてその上に1枚のタイルを載置することで、タイルマットを敷設する床等に凹凸があっても、タイルの安定性高く、使用者に全体として十分な安定感を感じさせることができるタイルマットを提供することができるという利点がある。
【図面の簡単な説明】
【００２６】
【図１】本考案に係るタイルとマット基材を用いたタイルマットの一実施形態を示し、マット基材としての樹脂マットの斜視図である。
【図２】図１のタイルマットの、マット基材の平面図（ａ）と底面図（ｂ）である。
【図３】マット基材同士を連結させた状態の平面図（ａ）と底面図（ｂ）である。
【図４】図１のタイルマットの、タイルとマット基材が嵌合していない状態の側面図である。
【図５】図１のタイルマットの、マット基材上面を示す拡大図である。
【図６】図４の状態から図１の状態へと嵌合を進める際の嵌合構造を説明するための断面図で、嵌合突起がタイルと嵌合していない状態を示す拡大断面図である。
【図７】図４の状態から図１の状態へと嵌合を進める際の嵌合構造を説明するための断面図で、嵌合突起がタイルに嵌合しつつある状態を示す拡大断面図である。
【図８】図４の状態から図１の状態へと嵌合を進める際の嵌合構造を説明するための断面図で、嵌合突起がタイルに嵌合した状態を示す拡大断面図である。
【図９】図４の状態から図１の状態へと嵌合を解除する際の嵌合構造を説明するための断面図で、嵌合突起がタイルの嵌合孔から抜けつつある状態を示す拡大断面図である。
【図１０】タイルの長手方向の長さが、マット基材の１辺の長さの２倍の場合（ａ）とタイルの長手方向の長さが、マット基材の１辺の長さの３倍の場合（ｂ）の場合を示す斜視図である。
【図１１】タイル内部に設けられたリブ構造を示すタイルの断面図である。
【図１２】タイルの端部に保護部材を装着した状態の拡大斜視図である。
【図１３】本考案に係るタイルとマット基材を用いたタイルマットの他の実施形態を示し、ロングタイルをマット基材に間隔を空けて載置した状態の斜視図（ａ）と、その裏面の斜視図（ｂ）である。
【図１４】本考案に係るタイルとマット基材を用いたタイルマットの他の実施形態を示し、ロングタイル両端用のマット基材の形状を示す図である。
【図１５】本考案に係るタイルとマット基材を用いたタイルマットの他の実施形態を示し、ロングタイル両端用のマット基材の間に間隔を空けてロングタイルと嵌合するマット基材の形状を示す図である。
【図１６】本考案に係るタイルとマット基材を用いたタイルマットの他の実施形態を示し、ロングタイル両端用のマット基材の間に間隔を空けてロングタイルと嵌合するマット基材の他の形状を示す図である。
【図１７】本考案に係るタイルとマット基材を用いたタイルマットの他の実施形態を示し、マット基材の嵌合突起の他の形状を示す図である。
【図１８】本考案に係るタイルとマット基材を用いたタイルマットの他の実施形態を示し、マット基材の嵌合突起の他の形状を示す図である。
【考案を実施するための形態】
【実施例１】
【００２７】
図１ないし図１２は本考案に係る樹脂マット及びこれを用いたタイルマットの一実施形態を示すものであり、これらの図において、全体記号１で示すのは本考案を特徴づけるタイルマットである。
【００２８】
図１においてこれを簡単に説明すると、符号１は、タイルマットとして、例えば床面、壁面、あるいはバルコニーやベランダ等に敷き詰められることで、該施工場所を体裁のよいタイル模様の化粧を施すことができるタイルマットであり、これを所要の配列状態で並べるマット基材１０と、マット基材上に載置する１枚又は２枚以上のタイル２０とによって構成されている。
【００２９】
前記マット基材１０は、前記タイル２０を敷設できる大きさ、例えば約３００ｍｍ角の正方形状の板材である。
【００３０】
前記マット基材１０に、例えば１５０ｍｍ×３００ｍｍの長方形状に形成された中空の金属部材２枚のタイル２０を載置して前記タイルマット１を構成し、その表面には、適宜の色彩、その他模様などが必要に応じて付されている。
【００３１】
図２（ａ）は前記マット基材１０の平面図であり、図２（ｂ）は前記マット基材１０の底面図である。マット面部１６の下面に脚部が設けられ、隣接する２の立直側面からは連結腕１２が水平方向に凸出して設けられ、連結腕が設けられた立直側面と対向する立直側面には連結腕収納部１３が凹設して設けられ、連結腕１２下面には連結腕脚部１５が設けられている。略T字型の連結腕１２の形状は、T字の横棒部分の両端が略半円状に形成されていて、連結作業の際に連結腕収納部１３への挿入は容易であるが、横方向への張力に対しては強く、安定した連結状態を得ることができる。
【００３２】
図２（ａ）において、前記マット基材１０の上面には、前記タイル２０を嵌合して載置するための嵌合突起１１が設けられている。
【００３３】
図３（ａ）は連結された前記マット基材の平面図であり、図３（ｂ）は連結された前記マット基材の底面図である。前記マット基材に設けられた連結腕１２を隣接するマット基材１０の連結腕収納部１３に順次連結させることにより、複数枚のマット基材１０を順次連結して敷設することができる。
【００３４】
図４において前記マット基材１０と前期タイル２０は分離おり、前記マット基材１０と前期タイル２０は嵌合突起１１を介して接合される。嵌合突起１１は、弾性変形可能な例えばポリエチレンなどの弾性樹脂を素材とするマット基材から突出そるように形成され、弾性変形可能に構成されており、嵌合したときに抜け落ちないように係止部を備えるように構成されている。
【００３５】
図５に示すように前記マット基材１０上面に、嵌合突起が突出して形成されている。
【００３６】
ここで、図６のようにまずマット面部１６の嵌合突起１１を、タイル下面２１の嵌合孔２２へ挿入させる。
【００３７】
すると、図７のように、嵌合突起１１が中空構造１７の方へ弾性変形し、嵌合孔２２を貫通することができる。
【００３８】
そして、嵌合突起１１がタイル下面２１の嵌合孔２２を貫通すると、嵌合突起１１は元の形状に戻るため、図８のようにマット面部１６とタイル下面２１を嵌合保持させることができる。
【００３９】
また、この状態からタイル２０を強制的に引き剥がす際に、図９のよう嵌合突起１１を嵌合孔２２から抜去しようとすると、嵌合突起１１は上述した挿入の際とは逆に弾性変形し、嵌合状態を解除することができる。
【００４０】
したがって、このような嵌合構造によるマット基材１０とタイル２０とによるタイルマット１によれば、該タイルマット１を建築物における床またはバルコニーやベランダ等といった施工場所に、耐久性が高いものを敷設することができ、軽量なので取り扱いが容易である。
【００４１】
このようなタイルマット１０おいて、タイル２０を引きはがして嵌合状態を外すことにより、タイル２０を取り外すことが可能であり、模様替えを行ったりする際に便利である等といった利点がある。
【００４２】
また、タイル２０を引きはがして嵌合状態を外し、マット基材１０を交換することで、耐久性の高いタイル２０をそのまま使用しつつ、安定性を長く保つことができるという利点がある。
【００４３】
このようなタイルマット１において、嵌合突起３０を弾性変形可能とするための素材には、ＰＥ（ポリエチレン）やＥＶＡ（エチレン-酢酸ビニル共重合樹脂）などの弾性樹脂が考えられる。
【００４４】
さらに、このようなマット基材１０においてもPEやEVAを素材とすることで、中空状に形成された金属部材からなるタイル２０は硬質であっても、マット基材１０が弾性変形可能であるため、敷設場所の床などに多少の凹凸があってもマット基材の弾性変形により補正され、揺れやガタツキが生じるのを防ぐことができるという利点がある。
【００４５】
そして、図１０のように、マット基材の１辺の整数倍の長さを有するタイル２０をこのようなマット基材１０を組み合わせたものの上に載置することにより、１組のタイルマットで覆うことができる面積が大きくなり、安定性が高まるという利点がある。
【００４６】
運搬や施工の際に取り扱いを便利にする目的で、タイル２０には中空状に形成された金属部材を用いるが、タイル２０が正方形の場合の中心部や、タイル２０が長方形の場合の長手方向の中心線付近や長手方向の中央部に近い部分では、完全な中空状では十分な強度が得られないので、図１１のように中空構造の内部に壁状のリブ構造を設けることで、タイル２０は軽量でありながら十分な強度を備えるようになる。
【００４７】
さらに、強度補強及びタイル端部の切断面との接触による事故防止のため、図１２のように、タイル端部の中空構造に端部保護部材２４を挿入することにより、強度と安全性が保たれる。端部保護部材２４は、弾性変形可能なＰＥ（ポリエチレン）やＥＶＡ（エチレン-酢酸ビニル共重合樹脂）などの弾性樹脂で形成し、タイル端部にしっかりと嵌合させる。
【００４８】
タイル２０に用いる金属部材には、Ａｌ−Ｍｇ系やＡｌ−Ｍｇ−Ｓｉ系のアルミニウム合金が考えられる。また、ステンレスやスチール系の合金を使用してもよい。表面に滑り止め効果を得るために、発泡アルミニウム合金などの発泡金属を用いることのほかに、ＰＥフォームやＰＰ（ポリプロピレン）フォームなどをタイル２０の表面にコーティングすることも考えられる。
【実施例２】
【００４９】
図１３ないし図１６は本考案に係る樹脂マット及びこれを用いたタイルマットの他の実施形態を示すものである。
【００５０】
図１３において示すように、間隔を空けたロングタイル両端用マット基材３０とロングタイル中間用マット基材４０の上にロングタイル５０を載置することで、タイルマットを敷設する床等に凹凸部があっても、マット基材を該凹凸部から外して位置させることで、タイルマット全体は安定した状態に保たれる。
【００５１】
図１４において、ロングタイル両端用マット基材３０は、（ａ）‐１から（ａ）‐４に示すように、結合腕３２と結合腕収納部３３を備え、ロングタイル５０同士を結合腕３２と結合腕収納部３３を介して長手方向にも短手方向にも結合することができる。長手方向のみ結合する場合には、（ｂ）‐１から（ｂ）‐４に示すような形状に形成する。他のロングタイル５０と結合しない場合には、（ｃ）‐１から（ｃ）‐４に示すように、立直側面に結合腕も結合腕収納部も備えていないように形成すれば、タイル両端部の美観を損ねることはない。
【００５２】
図１５において、ロングタイル中間用マット基材４０は、（ａ）‐１から（ａ）‐４に示すように、ロングタイル５０の長手方向に沿った側面と対応する立直側面に結合腕３２と結合腕収納部３３を備え、ロングタイル５０同士を結合腕３２と結合腕収納部３３を介して結合することができる。タイルマットを敷設する床等の状態などを考慮して、（ｂ）‐１から（ｂ）‐４に示すような幅の狭いものを単独で、又は幅の広いものと混合して用いることができる。
【実施例３】
【００５３】
図１６において、ロングタイル中間用マット基材４０は、（ａ）から（ｄ）に示すように、上面に係止部を備える嵌合突起４１と係止部を備えていない嵌合柱４７の２種類を備え、嵌合突起４１の抜け止め効果によりロングタイル中間用マット基材４０とロングタイル５０を嵌合するが、嵌合柱４７は抜け止め効果はなくともロングタイル５０の嵌合孔に挿入されることにより、ロングタイル中間用マット基材４０とロングタイル５０嵌合状態を安定させることができ、かつ、ロングタイル中間用マット基材４０とロングタイル５０をはがす際には、嵌合をすべて嵌合突起４１を用いるより、簡単にはがすことができる。この構造は、ロングタイル両端用マット基材３０にも用いることができる。
【実施例４】
【００５４】
図１７は本考案に係る樹脂マット及びこれを用いたタイルマットの他の実施形態を示すものである。マット基材１０の上部に設けられた嵌合突起が、係止部を備える係止部付き嵌合片６１を３本以上束ねた多分割型嵌合突起６０であり、多分割型嵌合突起６０を形成する係止部付き嵌合片６１相互の間に中空部分を備えるように構成されている。図１７においては、係止部付き嵌合片６１が３本のものを示す。これにより、嵌合突起のタイルへの挿入及び抜去がよりスムースに行われるという効果がある。
【実施例５】
【００５５】
図１８は本考案に係る樹脂マット及びこれを用いたタイルマットの他の実施形態を示すものである。マット基材１０の上部に設けられた嵌合突起が、係止部を備える係止部付き嵌合片６１と係止部を備えていない柱状嵌合片６３からなる組合せ型嵌合突起６２であり、係止部付き嵌合片６１と柱状嵌合片６３の間に中空部分を備えるように構成されている。これにより、嵌合突起のタイルからの抜去がよりスムースに行われるという効果がある。
【００５６】
なお、本考案は上述した実施の形態で説明した構造には限定されず、各部の形状、構造等を適宜変形、変更し得ることはいうまでもない。
例えば、ロングタイル両端用マット基材においても、ロングタイル中間用マット基材においても、タイルマット同士の組み合わせに応じて、結合腕のみを備え結合腕収納部を備えないものや、結合腕を備えず結合腕収納部のみを備えるものなど、様々な組み合わせがあってもよい。
【００５７】
また、マット基材やタイルも方形に限定されず、様々な形状同士を組み合わせるものであってもよい。
【００５８】
さらに、タイル２０の材質も金属だけでなく、セラミックなど中空構造としても十分な強度を持つ素材であれば使用することができる。勿論、これらに限定されないことも言うまでもない。
【産業上の利用可能性】
【００５９】
本考案のタイルマットは、床に敷き詰めるだけでなくの建物の外壁や塀、その他外装にも用いることができる。実用的には例えば野外イベントなどで、床に本考案のタイルマットを敷設するだけでなく、仮設された塀の片面又は両面に使用することにより、タイルの組み合わせによって文字や模様を描いた装飾的な塀とすることができる。これらもまた本考案の権利範囲である。
【符号の説明】
【００６０】
１      タイルマット
１０    マット基材
１１    嵌合突起
１２    連結腕
１３    連結腕収納部
１４    脚部
１５    連結腕脚部
１６    マット面部
１７    嵌合突起中空構造
２０    タイル
２１    タイル下面
２２    嵌合孔
２３    内部リブ
２４    端部保護部材
３０    ロングタイル両端用マット基材
３１    嵌合突起
３２    連結腕
３３    連結腕収納部
３４    脚部
３５    連結腕脚部
３６    マット面部
４０    ロングタイル中間用マット基材
４１    嵌合突起
４２    連結腕
４３    連結腕収納部
４４    脚部
４５    連結腕脚部
４６    マット面部
４７    嵌合柱
５０    ロングタイル
５１    ロングタイル下面
６０    多分割型嵌合突起
６１    係止部付き嵌合片
６２    組合せ型嵌合突起
６３    柱状嵌合片
【手続補正２】
【補正対象書類名】実用新案登録請求の範囲
【補正対象項目名】全文
【補正方法】変更
【補正の内容】
【実用新案登録請求の範囲】
【請求項１】
タイルと、このタイルを固定するためのマット基材からなる方形のタイルマットにおいて、
前記タイルは、中空状に形成された金属部材からなり、１枚又は２枚以上のタイルが前記マット基材の上部に固定され、
前記マット基材は、弾性変形可能な部材からなり、
前記タイルのマット基材側の面には、該タイルを前記マット基材上に着脱自在に嵌合保持させるための嵌合孔部が複数個所に設けられ、
前記マット基材は前記タイルと嵌合保持される側の上面とその裏面である接地側面である下面と立直側面を有し、
前記マット基材の立直側面には、該マット基材同士を連結するために略T字型の連結腕と、前記連結腕の外側面の形状と同一形状を内側面とする連結腕収納部が設けられ、
前記タイルの嵌合孔部と前記マット基材部とは、前記マット基材部の上面から突出して形成された嵌合突起により嵌合保持され、
前記嵌合突起は弾性変形可能な部材からなり、
前記嵌合突起は前記タイルに設けられた嵌合孔に弾性変形して嵌挿できるように形成され、
前記嵌合突起は前記タイルに嵌挿されたときに、前記タイルの内側の前記嵌合孔縁部に係止する係止部を備え、
前記タイルは、前記嵌合突起の係止部が前記タイルの嵌合孔に係止されることにより抜け止め状態とされ、前記マット基材上に着脱可能に嵌合固定されるように構成されていることを特徴とするタイルマット。
【請求項２】
請求項１に記載のタイルマットにおいて、
前記嵌合突起の係止部は、一部が中空状に形成されていることを特徴とするタイルマット。
【請求項３】
請求項１ないし請求項２のいずれか１項に記載のタイルマットにおいて、
前記タイルは、アルミニウム合金で形成されていることを特徴とするタイルマット。
【請求項４】
請求項１ないし請求項３のいずれか1項に記載のタイルマットにおいて、
前記マット基材の隣接する２の立直側面には、該マット基材同士を連結するために略T字型の連結腕が設けられ、
前記マット基材の連結腕が設けられた立直側面と対向する立直側面には、前記連結腕の外側面の形状と同一形状を内側面とする連結腕収納部が設けられ、
前記マット基材は上面側から見て略正方形に形成され、
前記タイルが長手方向と短手方向を有し、該長手方向の長さが、略正方形のマット基材の１辺の長さの整数倍であることを特徴とするタイルマット。
【請求項５】
請求項１ないし請求項４のいずれか1項に記載のタイルマットにおいて、
前記タイルが長手方向と短手方向を有し、
前記タイルの両端に前記マット基材が着脱可能に嵌合固定され、
該タイルの両端に嵌合固定された前記マット基材の間に、１又は２以上のマット基材が所定の間隔を空けて嵌合固定され、
前記タイルの両端に嵌合固定されたマット基材の立直側面には、該マット基材同士を連結するために略T字型の連結腕が設けられ、
前記タイルの両端に嵌合固定されたマット基材の連結腕が設けられた立直側面と対向する立直側面には、前記連結腕の外側面の形状と同一形状を内側面とする連結腕収納部が設けられ、
前記タイルの両端に嵌合固定された前記マット基材の間に所定の間隔を空けて嵌合固定された１又は２以上のマット基材は、該タイルの長手方向の一方の側面側の立直側面に該マット基材同士を連結するために略T字型の連結腕を備え、該タイルの長手方向の他方の側面側の立直側面に前記連結腕の外側面の形状と同一形状を内側面とする連結腕収納部が設けられていることを特徴とするタイルマット。
【請求項６】
請求項１ないし請求項５のいずれか1項に記載のタイルマットにおいて、
前記タイルの嵌合孔部と前記マット基材部の嵌合突起とは、前記マット基材部の上面に係止部を備えていない嵌合柱が突出して形成され、前記タイルの嵌合孔部に前記マット基材部の嵌合柱が挿入されるように構成されていることを特徴とするタイルマット。
【手続補正書】
【提出日】平成27年12月24日(2015.12.24)
【手続補正１】
【補正対象書類名】明細書
【補正対象項目名】全文
【補正方法】変更
【補正の内容】
【考案の詳細な説明】
【技術分野】
【０００１】
本考案は、建築材料、特に建築物における床またはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、玄関先、屋上、ベランダ、ルーフバルコニー等にクッション、滑り止め機能を備えるようにするためには、床材それ自体にクッション、滑り止め機能を有する素材を用いなければならなかったが、その機能上木材、コンクリートや金属に比べて耐久性の劣る材料を用いざるをえず、老朽化後に機能を回復させるためには床剤の交換作業のためには再度工事をしなければならない等の問題があった。
【０００３】
このため、近年では、上述したような交換作業の困難性等の問題点を解決するために、床面等の上に敷設するシート状のマットや、略方形のマットの周縁部に凹凸を設けることにより敷設、撤去の作業が容易になるようなマットが用いられるようになってきている（例えば、特許文献１，２等参照）。
【０００４】
すなわち、従来この種のマットにおいて、特許文献１の衝撃音吸収マットでは、シート状のマットを、複数の層を備えるように構成することとしている。また、特許文献２の連結用ブロックでは、発泡合成樹脂、非発泡合成樹脂、合成ゴム等のエラストマーからなるブロックの周縁部に凹凸パターンを形成して嵌合させて並べて敷設するように構成することとしている。
【先行技術文献】
【特許文献】
【０００５】
【特許文献１】特開平７−３２５２１号公報
【特許文献２】特開２００２−３２７４０１号公報
【考案の概要】
【考案が解決しようとする課題】
【０００６】
しかし、上述した従来のマットでは、マットを敷設する床面や地面に凹凸がある場合に、マット表面がその凹凸に沿った形状になってしまい、床面の安定性を欠く場合があるという問題があった。
【０００７】
またシート状のマットを並べて敷設するだけでは、マットの境目がずれてしまったり、周縁部がめくれてしまったりするなどの問題もあり、ブロックの周縁部 に凹凸パターンを形成して嵌合させて並べて敷設するものも敷設する面をあらかじめほぼ完全に平坦に施工しておかなければならず、さらに、シート状のマットでは施工の際に切断などの作業が必要であるという問題があった。
【０００８】
その一方において、この種のマットは、材質が劣化したりデザインを変更したりしたくなった際に簡単に交換できること等も望まれているものであって、このような相反する要求に応えることができることが要望されている。
【０００９】
本考案はこのような事情に鑑みてなされたものであり、タイルを固定するためのマット基材及びこのマット基材にタイルを組み合わせて固定してなるタイルマットにおいて、タイルをマット基材上に着脱可能に接合固定することが可能な上に、タイルの組み合わせ等を変更可能であって、マットを敷設する面にある程度の凹凸があっても安定性の高い状態で布設ことができ、耐久性が高く軽量のタイルマットを得ることを目的とする。
【課題を解決するための手段】
【００１０】
このような目的に応えるために本考案（請求項１記載の考案）に係るタイルマットは、  前記タイルは、中空状に形成された金属部材からなり、１枚又は２枚以上のタイルが前記マット基材の上部に固定され、前記マット基材は、弾性変形可能な部材からなり、前記タイルのマット基材側の面には、該タイルを前記マット基材上に着脱自在に嵌合保持させるための嵌合孔部が複数個所に設けられ、前記マット基材は前記タイルと嵌合保持される側の上面とその裏面である接地側面である下面と立直側面を有し、前記マット基材の立直側面には、該マット基材同士を連結するために略T字型の連結腕と、前記連結腕の外側面の形状と同一形状を内側面とする連結腕収納部が設けられ、前記タイルの嵌合孔部と前記マット基材部とは、前記マット基材部の上面から突出して形成された嵌合突起により嵌合保持され、前記嵌合突起は弾性変形可能な部材からなり、前記嵌合突起は前記タイルに設けられた嵌合孔に弾性変形して嵌挿できるように形成され、前記嵌合突起は前記タイルに嵌挿されたときに、前記タイルの内側の前記嵌合孔縁部に係止する係止部を備え、前記タイルは、前記嵌合突起の係止部が前記タイルの嵌合孔に係止されることにより抜け止め状態とされ、前記マット基材上に着脱可能に嵌合固定されるように構成されていることを特徴とする。
【００１１】
このように構成することにより、タイルは耐久性が高い上ＷＰＣ素材などを使用するよりも軽いため運搬や施工が容易となり、タイルが劣化する前に樹脂製のマット基材が劣化した場合マット基材のみを交換してタイルをそのまま使用し続けることができるという利点がある。
【００１２】
本考案（請求項２記載の考案）に係るタイルマットは、請求項１に記載のタイルマットにおいて、前記嵌合突起の係止部は、一部が中空状に形成されていることを特徴とする。
【００１３】
このように構成することにより、前記嵌合突起を前記タイルに嵌合したり抜いたりする作業が容易になるという利点がある。
【００１４】
本考案（請求項３記載の考案）に係るタイルマットは、請求項１ないし請求項２のいずれか１項に記載のタイルマットにおいて、前記タイルは、アルミニウム合金で形成されていることを特徴とする。
【００１５】
このように構成することにより、前記タイルを軽量で耐久性の高いものにすることができるという利点がある。
【００１６】
本考案（請求項４記載の考案）に係るタイルマットは、請求項１ないし請求項３のいずれか1項に記載のタイルマットにおいて、前記マット基材の隣接する２の立直側面には、該マット基材同士を連結するために略T字型の連結腕が設けられ、前記マット基材の連結腕が設けられた立直側面と対向する立直側面には、前記連結腕の外側面の形状と同一形状を内側面とする連結腕収納部が設けられ、前記マット基材は上面側から見て略正方形に形成され、前記タイルが長手方向と短手方向を有し、該長手方向の長さが、略正方形のマット基材の１辺の長さの整数倍であることを特徴とする。
【００１７】
このように構成することにより、前記マット基材を複数枚連結させたものの上に、１枚のタイルを載置することができ、安定感の高いタイルマットを得ることができるという利点がある。
【００１８】
本考案（請求項５記載の考案）に係るタイルマットは、請求項１ないし請求項４のいずれか1項に記載のタイルマットにおいて、前記タイルが長手方向と短手方向を有し、前記タイルの両端に前記マット基材が着脱可能に嵌合固定され、該タイルの両端に嵌合固定された前記マット基材の間に、１又は２以上のマット基材が所定の間隔を空けて嵌合固定され、前記タイルの両端に嵌合固定されたマット基材の立直側面には、該マット基材同士を連結するために略T字型の連結腕が設けられ、前記タイルの両端に嵌合固定されたマット基材の連結腕が設けられた立直側面と対向する立直側面には、前記連結腕の外側面の形状と同一形状を内側面とする連結腕収納部が設けられ、前記タイルの両端に嵌合固定された前記マット基材の間に所定の間隔を空けて嵌合固定された１又は２以上のマット基材は、該タイルの長手方向の一方の側面側の立直側面に該マット基材同士を連結するために略T字型の連結腕を備え、該タイルの長手方向の他方の側面側の立直側面に前記連結腕の外側面の形状と同一形状を内側面とする連結腕収納部が設けられていることを特徴とする。
【００１９】
このように構成することにより、前記タイルマットを敷設する床等に凹凸があっても、その部分を避けて前記マット基材の位置を決めてその上に前記タイルを載置することができ、安定感の高いタイルマットを得ることができるという利点がある。
【００２０】
本考案（請求項６記載の考案）に係るタイルマットは、請求項１ないし請求項５のいずれか1項に記載のタイルマットにおいて、前記タイルの嵌合孔部と前記マット基材部の嵌合突起とは、前記マット基材部の上面に係止部を備えていない嵌合柱が突出して形成され、前記タイルの嵌合孔部に前記マット基材部の嵌合柱が挿入されるように構成されていることを特徴とする。
【００２１】
このように構成することにより、前記タイルマットを前記タイルからはがす作業が容易になるという利点がある。
【考案の効果】
【００２２】
以上説明したように本考案に係るタイルマットによれば、耐久性が高く軽量のタイルマットを提供することで、タイルマットの運搬や施工を容易とし、タイルの下面に複数の嵌合孔部を設け、マット基材の上面に該タイルの嵌合孔部と対応する位置に嵌合孔部を設け、これらの嵌合孔部に嵌合突起を弾性変形させて挿入することにより、タイルとマット基材を着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができ、マット基材や嵌合突起それぞれが劣化してもそれらを交換して、タイルマット全体としては使用を継続することができる。
【００２３】
特に、本考案によれば、複数のマット基材に１枚のタイルを載置することで、タイルの安定性を高めて、従来より広い範囲に敷き詰めても、使用者に全体として十分な安定感を感じさせることができるタイルマットを提供することができるという利点がある。
【００２４】
また、本考案によれば、マット基材からタイルを分離することが容易なので、廃棄物とする際に、樹脂でからなるマット基材と、金属からなるタイルを容易に分別することができるという利点がある。
【００２５】
さらに、本考案によれば、複数のマット基材の間に間隔を空けてその上に1枚のタイルを載置することで、タイルマットを敷設する床等に凹凸があっても、タイルの安定性高く、使用者に全体として十分な安定感を感じさせることができるタイルマットを提供することができるという利点がある。
【図面の簡単な説明】
【００２６】
【図１】本考案に係るタイルとマット基材を用いたタイルマットの一実施形態を示し、マット基材としての樹脂マットの斜視図である。
【図２】図１のタイルマットの、マット基材の平面図（ａ）と底面図（ｂ）である。
【図３】マット基材同士を連結させた状態の平面図（ａ）と底面図（ｂ）である。
【図４】図１のタイルマットの、タイルとマット基材が嵌合していない状態の側面図である。
【図５】図１のタイルマットの、マット基材上面を示す拡大図である。
【図６】図４の状態から図１の状態へと嵌合を進める際の嵌合構造を説明するための断面図で、嵌合突起がタイルと嵌合していない状態を示す拡大断面図である。
【図７】図４の状態から図１の状態へと嵌合を進める際の嵌合構造を説明するための断面図で、嵌合突起がタイルに嵌合しつつある状態を示す拡大断面図である。
【図８】図４の状態から図１の状態へと嵌合を進める際の嵌合構造を説明するための断面図で、嵌合突起がタイルに嵌合した状態を示す拡大断面図である。
【図９】図４の状態から図１の状態へと嵌合を解除する際の嵌合構造を説明するための断面図で、嵌合突起がタイルの嵌合孔から抜けつつある状態を示す拡大断面図である。
【図１０】タイルの長手方向の長さが、マット基材の１辺の長さの２倍の場合（ａ）とタイルの長手方向の長さが、マット基材の１辺の長さの３倍の場合（ｂ）の場合を示す斜視図である。
【図１１】タイル内部に設けられたリブ構造を示すタイルの断面図である。
【図１２】タイルの端部に保護部材を装着した状態の拡大斜視図である。
【図１３】本考案に係るタイルとマット基材を用いたタイルマットの他の実施形態を示し、ロングタイルをマット基材に間隔を空けて載置した状態の斜視図（ａ）と、その裏面の斜視図（ｂ）である。
【図１４】本考案に係るタイルとマット基材を用いたタイルマットの他の実施形態を示し、ロングタイル両端用のマット基材の形状を示す図である。
【図１５】本考案に係るタイルとマット基材を用いたタイルマットの他の実施形態を示し、ロングタイル両端用のマット基材の間に間隔を空けてロングタイルと嵌合するマット基材の形状を示す図である。
【図１６】本考案に係るタイルとマット基材を用いたタイルマットの他の実施形態を示し、ロングタイル両端用のマット基材の間に間隔を空けてロングタイルと嵌合するマット基材の他の形状を示す図である。
【図１７】本考案に係るタイルとマット基材を用いたタイルマットの他の実施形態を示し、マット基材の嵌合突起の他の形状を示す図である。
【図１８】本考案に係るタイルとマット基材を用いたタイルマットの他の実施形態を示し、マット基材の嵌合突起の他の形状を示す図である。
【考案を実施するための形態】
【実施例１】
【００２７】
図１ないし図１２は本考案に係る樹脂マット及びこれを用いたタイルマットの一実施形態を示すものであり、これらの図において、全体記号１で示すのは本考案を特徴づけるタイルマットである。
【００２８】
図１においてこれを簡単に説明すると、符号１は、タイルマットとして、例えば床面、壁面、あるいはバルコニーやベランダ等に敷き詰められることで、該施工場所を体裁のよいタイル模様の化粧を施すことができるタイルマットであり、これを所要の配列状態で並べるマット基材１０と、マット基材上に載置する１枚又は２枚以上のタイル２０とによって構成されている。
【００２９】
前記マット基材１０は、前記タイル２０を敷設できる大きさ、例えば約３００ｍｍ角の正方形状の板材である。
【００３０】
前記マット基材１０に、例えば１５０ｍｍ×３００ｍｍの長方形状に形成された中空の金属部材２枚のタイル２０を載置して前記タイルマット１を構成し、その表面には、適宜の色彩、その他模様などが必要に応じて付されている。
【００３１】
図２（ａ）は前記マット基材１０の平面図であり、図２（ｂ）は前記マット基材１０の底面図である。マット面部１６の下面に脚部が設けられ、隣接する２の立直側面からは連結腕１２が水平方向に凸出して設けられ、連結腕が設けられた立直側面と対向する立直側面には連結腕収納部１３が凹設して設けられ、連結腕１２下面には連結腕脚部１５が設けられている。略T字型の連結腕１２の形状は、T字の横棒部分の両端が略半円状に形成されていて、連結作業の際に連結腕収納部１３への挿入は容易であるが、横方向への張力に対しては強く、安定した連結状態を得ることができる。
【００３２】
図２（ａ）において、前記マット基材１０の上面には、前記タイル２０を嵌合して載置するための嵌合突起１１が設けられている。
【００３３】
図３（ａ）は連結された前記マット基材の平面図であり、図３（ｂ）は連結された前記マット基材の底面図である。前記マット基材に設けられた連結腕１２を隣接するマット基材１０の連結腕収納部１３に順次連結させることにより、複数枚のマット基材１０を順次連結して敷設することができる。
【００３４】
図４において前記マット基材１０と前期タイル２０は分離おり、前記マット基材１０と前期タイル２０は嵌合突起１１を介して接合される。嵌合突起１１は、弾性変形可能な例えばポリエチレンなどの弾性樹脂を素材とするマット基材から突出そるように形成され、弾性変形可能に構成されており、嵌合したときに抜け落ちないように係止部を備えるように構成されている。
【００３５】
図５に示すように前記マット基材１０上面に、嵌合突起が突出して形成されている。
【００３６】
ここで、図６のようにまずマット面部１６の嵌合突起１１を、タイル下面２１の嵌合孔２２へ挿入させる。
【００３７】
すると、図７のように、嵌合突起１１が中空構造１７の方へ弾性変形し、嵌合孔２２を貫通することができる。
【００３８】
そして、嵌合突起１１がタイル下面２１の嵌合孔２２を貫通すると、嵌合突起１１は元の形状に戻るため、図８のようにマット面部１６とタイル下面２１を嵌合保持させることができる。
【００３９】
また、この状態からタイル２０を強制的に引き剥がす際に、図９のよう嵌合突起１１を嵌合孔２２から抜去しようとすると、嵌合突起１１は上述した挿入の際とは逆に弾性変形し、嵌合状態を解除することができる。
【００４０】
したがって、このような嵌合構造によるマット基材１０とタイル２０とによるタイルマット１によれば、該タイルマット１を建築物における床またはバルコニーやベランダ等といった施工場所に、耐久性が高いものを敷設することができ、軽量なので取り扱いが容易である。
【００４１】
このようなタイルマット１０おいて、タイル２０を引きはがして嵌合状態を外すことにより、タイル２０を取り外すことが可能であり、模様替えを行ったりする際に便利である等といった利点がある。
【００４２】
また、タイル２０を引きはがして嵌合状態を外し、マット基材１０を交換することで、耐久性の高いタイル２０をそのまま使用しつつ、安定性を長く保つことができるという利点がある。
【００４３】
このようなタイルマット１において、嵌合突起３０を弾性変形可能とするための素材には、ＰＥ（ポリエチレン）やＥＶＡ（エチレン-酢酸ビニル共重合樹脂）などの弾性樹脂が考えられる。
【００４４】
さらに、このようなマット基材１０においてもPEやEVAを素材とすることで、中空状に形成された金属部材からなるタイル２０は硬質であっても、マット基材１０が弾性変形可能であるため、敷設場所の床などに多少の凹凸があってもマット基材の弾性変形により補正され、揺れやガタツキが生じるのを防ぐことができるという利点がある。
【００４５】
そして、図１０のように、マット基材の１辺の整数倍の長さを有するタイル２０をこのようなマット基材１０を組み合わせたものの上に載置することにより、１組のタイルマットで覆うことができる面積が大きくなり、安定性が高まるという利点がある。
【００４６】
運搬や施工の際に取り扱いを便利にする目的で、タイル２０には中空状に形成された金属部材を用いるが、タイル２０が正方形の場合の中心部や、タイル２０が長方形の場合の長手方向の中心線付近や長手方向の中央部に近い部分では、完全な中空状では十分な強度が得られないので、図１１のように中空構造の内部に壁状のリブ構造を設けることで、タイル２０は軽量でありながら十分な強度を備えるようになる。
【００４７】
さらに、強度補強及びタイル端部の切断面との接触による事故防止のため、図１２のように、タイル端部の中空構造に端部保護部材２４を挿入することにより、強度と安全性が保たれる。端部保護部材２４は、弾性変形可能なＰＥ（ポリエチレン）やＥＶＡ（エチレン-酢酸ビニル共重合樹脂）などの弾性樹脂で形成し、タイル端部にしっかりと嵌合させる。
【００４８】
タイル２０に用いる金属部材には、Ａｌ−Ｍｇ系やＡｌ−Ｍｇ−Ｓｉ系のアルミニウム合金が考えられる。また、ステンレスやスチール系の合金を使用してもよい。表面に滑り止め効果を得るために、発泡アルミニウム合金などの発泡金属を用いることのほかに、ＰＥフォームやＰＰ（ポリプロピレン）フォームなどをタイル２０の表面にコーティングすることも考えられる。
【実施例２】
【００４９】
図１３ないし図１６は本考案に係る樹脂マット及びこれを用いたタイルマットの他の実施形態を示すものである。
【００５０】
図１３において示すように、間隔を空けたロングタイル両端用マット基材３０とロングタイル中間用マット基材４０の上にロングタイル５０を載置することで、タイルマットを敷設する床等に凹凸部があっても、マット基材を該凹凸部から外して位置させることで、タイルマット全体は安定した状態に保たれる。
【００５１】
図１４において、ロングタイル両端用マット基材３０は、（ａ）‐１から（ａ）‐４に示すように、結合腕３２と結合腕収納部３３を備え、ロングタイル５０同士を結合腕３２と結合腕収納部３３を介して長手方向にも短手方向にも結合することができる。長手方向のみ結合する場合には、（ｂ）‐１から（ｂ）‐４に示すような形状に形成する。他のロングタイル５０と結合しない場合には、（ｃ）‐１から（ｃ）‐４に示すように、立直側面に結合腕も結合腕収納部も備えていないように形成すれば、タイル両端部の美観を損ねることはない。
【００５２】
図１５において、ロングタイル中間用マット基材４０は、（ａ）‐１から（ａ）‐４に示すように、ロングタイル５０の長手方向に沿った側面と対応する立直側面に結合腕３２と結合腕収納部３３を備え、ロングタイル５０同士を結合腕３２と結合腕収納部３３を介して結合することができる。タイルマットを敷設する床等の状態などを考慮して、（ｂ）‐１から（ｂ）‐４に示すような幅の狭いものを単独で、又は幅の広いものと混合して用いることができる。
【実施例３】
【００５３】
図１６において、ロングタイル中間用マット基材４０は、（ａ）から（ｄ）に示すように、上面に係止部を備える嵌合突起４１と係止部を備えていない嵌合柱４７の２種類を備え、嵌合突起４１の抜け止め効果によりロングタイル中間用マット基材４０とロングタイル５０を嵌合するが、嵌合柱４７は抜け止め効果はなくともロングタイル５０の嵌合孔に挿入されることにより、ロングタイル中間用マット基材４０とロングタイル５０嵌合状態を安定させることができ、かつ、ロングタイル中間用マット基材４０とロングタイル５０をはがす際には、嵌合をすべて嵌合突起４１を用いるより、簡単にはがすことができる。この構造は、ロングタイル両端用マット基材３０にも用いることができる。
【実施例４】
【００５４】
図１７は本考案に係る樹脂マット及びこれを用いたタイルマットの他の実施形態を示すものである。マット基材１０の上部に設けられた嵌合突起が、係止部を備える係止部付き嵌合片６１を３本以上束ねた多分割型嵌合突起６０であり、多分割型嵌合突起６０を形成する係止部付き嵌合片６１相互の間に中空部分を備えるように構成されている。図１７においては、係止部付き嵌合片６１が３本のものを示す。これにより、嵌合突起のタイルへの挿入及び抜去がよりスムースに行われるという効果がある。
【実施例５】
【００５５】
図１８は本考案に係る樹脂マット及びこれを用いたタイルマットの他の実施形態を示すものである。マット基材１０の上部に設けられた嵌合突起が、係止部を備える係止部付き嵌合片６１と係止部を備えていない柱状嵌合片６３からなる組合せ型嵌合突起６２であり、係止部付き嵌合片６１と柱状嵌合片６３の間に中空部分を備えるように構成されている。これにより、嵌合突起のタイルからの抜去がよりスムースに行われるという効果がある。
【００５６】
なお、本考案は上述した実施の形態で説明した構造には限定されず、各部の形状、構造等を適宜変形、変更し得ることはいうまでもない。
例えば、ロングタイル両端用マット基材においても、ロングタイル中間用マット基材においても、タイルマット同士の組み合わせに応じて、結合腕のみを備え結合腕収納部を備えないものや、結合腕を備えず結合腕収納部のみを備えるものなど、様々な組み合わせがあってもよい。
【００５７】
また、マット基材やタイルも方形に限定されず、様々な形状同士を組み合わせるものであってもよい。
【００５８】
さらに、タイル２０の材質も金属だけでなく、セラミックなど中空構造としても十分な強度を持つ素材であれば使用することができる。勿論、これらに限定されないことも言うまでもない。
【産業上の利用可能性】
【００５９】
本考案のタイルマットは、床に敷き詰めるだけでなくの建物の外壁や塀、その他外装にも用いることができる。実用的には例えば野外イベントなどで、床に本考案のタイルマットを敷設するだけでなく、仮設された塀の片面又は両面に使用することにより、タイルの組み合わせによって文字や模様を描いた装飾的な塀とすることができる。これらもまた本考案の権利範囲である。
【符号の説明】
【００６０】
１      タイルマット
１０    マット基材
１１    嵌合突起
１２    連結腕
１３    連結腕収納部
１４    脚部
１５    連結腕脚部
１６    マット面部
１７    嵌合突起中空構造
２０    タイル
２１    タイル下面
２２    嵌合孔
２３    内部リブ
２４    端部保護部材
３０    ロングタイル両端用マット基材
３１    嵌合突起
３２    連結腕
３３    連結腕収納部
３４    脚部
３５    連結腕脚部
３６    マット面部
４０    ロングタイル中間用マット基材
４１    嵌合突起
４２    連結腕
４３    連結腕収納部
４４    脚部
４５    連結腕脚部
４６    マット面部
４７    嵌合柱
５０    ロングタイル
５１    ロングタイル下面
６０    多分割型嵌合突起
６１    係止部付き嵌合片
６２    組合せ型嵌合突起
６３    柱状嵌合片
【手続補正２】
【補正対象書類名】実用新案登録請求の範囲
【補正対象項目名】全文
【補正方法】変更
【補正の内容】
【実用新案登録請求の範囲】
【請求項１】
タイルと、このタイルを固定するためのマット基材からなる方形のタイルマットにおいて、
前記タイルは、中空状に形成された金属部材からなり、１枚又は２枚以上のタイルが前記マット基材の上部に固定され、
前記マット基材は、弾性変形可能な部材からなり、
前記タイルのマット基材側の面には、該タイルを前記マット基材上に着脱自在に嵌合保持させるための嵌合孔部が複数個所に設けられ、
前記マット基材は前記タイルと嵌合保持される側の上面とその裏面である接地側面である下面と立直側面を有し、
前記マット基材の立直側面には、該マット基材同士を連結するために略T字型の連結腕と、前記連結腕の外側面の形状と同一形状を内側面とする連結腕収納部が設けられ、
前記タイルの嵌合孔部と前記マット基材部とは、前記マット基材部の上面から突出して形成された嵌合突起により嵌合保持され、
前記嵌合突起は弾性変形可能な部材からなり、
前記嵌合突起は前記タイルに設けられた嵌合孔に弾性変形して嵌挿できるように形成され、
前記嵌合突起は前記タイルに嵌挿されたときに、前記タイルの内側の前記嵌合孔縁部に係止する係止部を備え、
前記タイルは、前記嵌合突起の係止部が前記タイルの嵌合孔に係止されることにより抜け止め状態とされ、前記マット基材上に着脱可能に嵌合固定されるように構成されていることを特徴とするタイルマット。
【請求項２】
請求項１に記載のタイルマットにおいて、
前記嵌合突起の係止部は、一部が中空状に形成されていることを特徴とするタイルマット。
【請求項３】
請求項１ないし請求項２のいずれか１項に記載のタイルマットにおいて、
前記タイルは、アルミニウム合金で形成されていることを特徴とするタイルマット。
【請求項４】
請求項１ないし請求項３のいずれか1項に記載のタイルマットにおいて、
前記マット基材の隣接する２の立直側面には、該マット基材同士を連結するために略T字型の連結腕が設けられ、
前記マット基材の連結腕が設けられた立直側面と対向する立直側面には、前記連結腕の外側面の形状と同一形状を内側面とする連結腕収納部が設けられ、
前記マット基材は上面側から見て略正方形に形成され、
前記タイルが長手方向と短手方向を有し、該長手方向の長さが、略正方形のマット基材の１辺の長さの整数倍であることを特徴とするタイルマット。
【請求項５】
請求項１ないし請求項４のいずれか1項に記載のタイルマットにおいて、
前記タイルが長手方向と短手方向を有し、
前記タイルの両端に前記マット基材が着脱可能に嵌合固定され、
該タイルの両端に嵌合固定された前記マット基材の間に、１又は２以上のマット基材が所定の間隔を空けて嵌合固定され、
前記タイルの両端に嵌合固定されたマット基材の立直側面には、該マット基材同士を連結するために略T字型の連結腕が設けられ、
前記タイルの両端に嵌合固定されたマット基材の連結腕が設けられた立直側面と対向する立直側面には、前記連結腕の外側面の形状と同一形状を内側面とする連結腕収納部が設けられ、
前記タイルの両端に嵌合固定された前記マット基材の間に所定の間隔を空けて嵌合固定された１又は２以上のマット基材は、該タイルの長手方向の一方の側面側の立直側面に該マット基材同士を連結するために略T字型の連結腕を備え、該タイルの長手方向の他方の側面側の立直側面に前記連結腕の外側面の形状と同一形状を内側面とする連結腕収納部が設けられていることを特徴とするタイルマット。
【請求項６】
請求項１ないし請求項５のいずれか1項に記載のタイルマットにおいて、
前記タイルの嵌合孔部と前記マット基材部の嵌合突起とは、前記マット基材部の上面に係止部を備えていない嵌合柱が突出して形成され、前記タイルの嵌合孔部に前記マット基材部の嵌合柱が挿入されるように構成されていることを特徴とするタイルマット。